(57)【要約】【課題】被施療者が自然な着座姿勢をとることができ、かつ安定的に保持した被施療者の前腕領域および臀部から大腿部に亘る領域を施療できるようにする。【解決手段】椅子式マッサージ機１は、各肘掛け部１０の内側部１２と対向する位置に配置された第１および第２エアバッグ４１，４２を有する施療部４０と、各肘掛け部１０の内側部１２と施療部４０との間に設けられた挿入部３０と、を備えている。施療部４０は、第１施療面４７および第２施療面４８を含む。施療部４０は、第１施療面４７が第１および第２エアバッグ４１，４２の膨張により挿入部３０に挿入された前腕領域Ａを各肘掛け部１０の内側部１２に向かって押圧するように構成されている。【選択図】図３
2020025606.tif 000002
【特許請求の範囲】
【請求項１】
座部と、
前記座部の左右両側に配置されていて、前記座部に着座した着座状態における被施療者の臀部および大腿部と対向する内側部を有する左右一対の肘掛け部と、
前記各肘掛け部の内側部と対向する位置に配置されていて、膨張および収縮可能な少なくとも１つのエアバッグを有する施療部と、
前記各肘掛け部の内側部と前記施療部との間に設けられ、前記被施療者の手および前腕部の少なくともいずれか一方を含む前腕領域を挿入可能な挿入部と、を備え、
前記施療部は、
前記肘掛け部の前記内側部と対向する第１施療面と、
前記着座状態における前記被施療者の臀部および大腿部と対向する第２施療面と、を含み、
前記施療部は、前記第１施療面が前記エアバッグの膨張により前記挿入部に挿入された前記被施療者の前記前腕領域を前記各肘掛け部の内側部に向かって押圧するように構成されている、椅子式マッサージ機。
【請求項２】
請求項１に記載の椅子式マッサージ機において、
前記エアバッグには、前記第１施療面から突出する第１突起部を有する第１指圧体が設けられており、
前記第１指圧体は、前記エアバッグの膨張により前記第１施療面が前記各肘掛け部の内側部に向かって移動したときに、前記第１突起部が前記挿入部に挿入された前記被施療者の前記前腕領域を指圧するように構成されている、椅子式マッサージ機。
【請求項３】
請求項１または２に記載の椅子式マッサージ機において、
前記各肘掛け部には、前記内側部から突出する第２突起部を有する第２指圧体が設けられており、
前記第２指圧体は、前記エアバッグの膨張により前記第１施療面が前記各肘掛け部の前記内側部に向かって移動したときに、前記第２突起部が前記挿入部に挿入された前記被施療者の前記前腕領域を指圧するように構成されている、椅子式マッサージ機。
【請求項４】
請求項２に記載の椅子式マッサージ機において、
前記第１指圧体は、前記エアバッグに対して着脱可能に取り付けられている、椅子式マッサージ機。
【請求項５】
請求項３に記載の椅子式マッサージ機において、
前記第２指圧体は、前記肘掛け部の前記内側部に対して着脱可能に取り付けられている、椅子式マッサージ機。
【請求項６】
請求項１または２に記載の椅子式マッサージ機において、
前記肘掛け部の前記内側部には、前記着座状態における前記被施療者の前記前腕領域に当接する低反発性を有する緩衝体が設けられている、椅子式マッサージ機。
【請求項７】
請求項１〜６のいずれか１項に記載の椅子式マッサージ機において、
前記座部および前記肘掛け部が互いに交差する隅角部に配置されていて、上面が前記座部よりも上方に位置するように形成された台座部をさらに備え、
前記台座部は、前記上面が前記挿入部の底部の位置に対応するように構成されている、椅子式マッサージ機。
【発明の詳細な説明】
【技術分野】
【０００１】
本発明は、椅子式マッサージ機に関するものである。
【背景技術】
【０００２】
従来から、例えば特許文献１のように、被施療者の手から前腕部に亘る領域と臀部から大腿部に亘る領域とをエアバッグにより施療する椅子式マッサージ機が知られている。
【０００３】
具体的に、この特許文献１には、座部と、座部の左右両側に配置された左右一対の肘掛け部と、各肘掛け部の内側に配置されかつ左右方向に互いに重ね合わされた複数のエアバッグと、を備えた椅子式マッサージ機が開示されている。複数のエアバッグは、被施療者の手および前腕部をエアバッグ同士の間に挿入した状態で可能に構成されている。また、複数のエアバッグは、座部に着座した被施療者の臀部および大腿部を押圧可能となっている。
【先行技術文献】
【特許文献】
【０００４】
【特許文献１】特開２００６−１８７４７８号公報
【発明の概要】
【発明が解決しようとする課題】
【０００５】
特許文献１の椅子式マッサージ機では、被施療者が手および前腕部の施療を受けるために、手および前腕部をエアバッグ同士の間に挿入しなければならなかった。このため、被施療者が手および前腕部をエアバッグ同士の間に挿入した場合には、手および前腕部が肘掛け部から左右方向に離れた状態となってしまう。その結果、被施療者は、座部に着座した状態で自然な姿勢がとれなかった。すなわち、被施療者は、複数のエアバッグにより手および前腕部の施療を受ける場合に窮屈な姿勢を強いられていた。
【０００６】
また、被施療者の手および前腕部をエアバッグ同士の間に挿入した状態では、手および前腕部がエアバッグの膨張および収縮に伴って左右方向に移動してしまう。すなわち、エアバッグの動作により被施療者の手および前腕部が極めて不安定な状態になっていた。その結果、手および前腕部に対するエアバッグの押圧力が低下し、手および前腕部に対して適切に施療することができなかった。
【０００７】
本発明は斯かる点に鑑みてなされたものであり、その目的は、被施療者が自然な着座姿勢をとることができるとともに、安定的に保持した被施療者の手から前腕部に亘る領域および臀部から大腿部に亘る領域を施療できるようにすることにある。
【課題を解決するための手段】
【０００８】
上記の目的を達成するために、本発明の第１の形態は椅子式マッサージ機に係るものであり、この椅子式マッサージ機は、座部と、座部の左右両側に配置されていて、座部に着座した着座状態における被施療者の臀部および大腿部と対向する内側部を有する左右一対の肘掛け部と、各肘掛け部の内側部と対向する位置に配置されていて、膨張および収縮可能な少なくとも１つのエアバッグを有する施療部と、各肘掛け部の内側部と施療部との間に設けられ、被施療者の手および前腕部の少なくともいずれか一方を含む前腕領域を挿入可能な挿入部と、を備えている。施療部は、肘掛け部の内側部と対向する第１施療面と、着座状態における被施療者の臀部および大腿部と対向する第２施療面と、を含む。そして、施療部は、第１施療面がエアバッグの膨張により挿入部に挿入された被施療者の前腕領域を各肘掛け部の内側部に向かって押圧するように構成されていることを特徴とする。
【０００９】
この第１の形態では、各肘掛け部の内側部と施療部との間に設けられた挿入部により、被施療者の手および前腕部を肘掛け部の近傍に位置させることが可能となる。その結果、被施療者は、自然な着座姿勢を保ちながら施療部による前腕領域の施療を受けることが可能となる。また、施療部は、第１施療面がエアバッグの膨張により挿入部に挿入された被施療者の前腕領域を各肘掛け部の内側部に向かって押圧するように構成されている。かかる構成により、被施療者の前腕領域は、各肘掛け部の内側部と第１施療面との間に挟み込まれた状態で安定的に保持される。その結果、被施療者の前腕領域に対する第１施療面の押圧力が高まり、前腕領域を適切に施療することが可能となる。さらに、第１施療面および第２施療面を含む施療部により、被施療者の前腕領域および臀部から大腿部に亘る領域の双方が施療される。したがって、第１の形態では、被施療者が自然な着座姿勢をとることができ、かつ安定的に保持された前腕領域および臀部から大腿部に亘る領域を施療することができる。
【００１０】
第２の形態は、第１の形態において、エアバッグには、第１施療面から突出する第１突起部を有する第１指圧体が設けられている。第１指圧体は、エアバッグの膨張により第１施療面が各肘掛け部の内側部に向かって移動したときに、第１突起部が挿入部に挿入された被施療者の前腕領域を指圧するように構成されていることを特徴とする。
【００１１】
この第２の形態では、第１施療面による押圧施療および第１指圧体による指圧施療を、被施療者の前腕領域に付与することができる。さらに、挿入部では被施療者の前腕領域が安定的に保持されることから、第１指圧体の第１突起部を、被施療者の前腕領域（特に手のひら）に含まれる多数の経穴に対して位置ズレしないように的確に接触させることが可能となる。これにより、第１指圧体による指圧施療の位置精度を高めることができる。
【００１２】
第３の形態は、第１または第２の形態において、各肘掛け部には、内側部から突出する第２突起部を有する第２指圧体が設けられている。第２指圧体は、エアバッグの膨張により第１施療面が各肘掛け部の内側部に向かって移動したときに、第２突起部が挿入部に挿入された被施療者の前腕領域を指圧するように構成されていることを特徴とする。
【００１３】
この第３の形態では、第１施療面による押圧施療および第２指圧体による指圧施療を、被施療者の前腕領域に付与することができる。さらに、挿入部では被施療者の前腕領域が安定的に保持されることから、第２指圧体の第２突起部を、被施療者の前腕領域（特に手の甲）に含まれる多数の経穴に対して位置ズレしないように的確に接触させることが可能となる。これにより、第２指圧体による指圧施療の位置精度を高めることができる。
【００１４】
第４の形態は、第２の形態において、第１指圧体は、エアバッグに対して着脱可能に取り付けられていることを特徴とする。
【００１５】
この第４の形態では、第１指圧体がエアバッグに対して着脱可能であるため、被施療者の前腕領域（特に手のひら）において第１指圧体による指圧施療を受けるか否かの選択を被施療者に委ねることができる。
【００１６】
第５の形態は、第３の形態において、第２指圧体は、肘掛け部の内側部に対して着脱可能に取り付けられていることを特徴とする。
【００１７】
この第５の形態では、第２指圧体が肘掛け部の内側部に対して着脱可能であるため、被施療者の前腕領域（特に手の甲）において第２指圧体による指圧施療を受けるか否かの選択を被施療者に委ねることができる。
【００１８】
第６の形態は、第１または第２の形態において、肘掛け部の内側部には、着座状態における被施療者の前腕領域に当接する低反発性を有する緩衝体が設けられていることを特徴とする。
【００１９】
この第６の形態では、第１施療面がエアバッグの膨張により挿入部に挿入された被施療者の前腕領域を各肘掛け部の内側部に向かって押圧すると、前腕領域が第１施療面と低反発性を有する緩衝体との間において柔らかく包み込まれるようになる。その結果、第１施療面による押圧施療の強さが緩和される。このように、例えば強めの押圧施療を望まない被施療者に対して、適切な押圧施療を前腕領域に付与することができる。
【００２０】
第７の形態は、第１〜６の形態のいずれか１つの形態において、座部および肘掛け部が互いに交差する隅角部に配置されていて、上面が座部よりも上方に位置するように形成された台座部をさらに備えており、台座部は、上面が挿入部の底部の位置に対応するように構成されていることを特徴とする。
【００２１】
この第７の形態では、被施療者の前腕領域を挿入部の底部の位置に対応する台座部の上面に載置させることが可能となる。すなわち、挿入部に挿入された被施療者の前腕領域を座部よりも上方に位置させることが可能となる。これにより、前腕領域の施療を受けるときの被施療者の着座姿勢をより一層安定させることができる。
【発明の効果】
【００２２】
以上説明したように、本発明によると、被施療者が自然な着座姿勢をとることができ、かつ安定的に保持された前腕領域および臀部から大腿部に亘る領域を施療することができる。
【図面の簡単な説明】
【００２３】
【図１】図１は、本発明の実施形態に係る椅子マッサージ機の構成を正面から見て示す全体斜視図である。
【図２】図２は、正面視において左側に位置する肘掛け部近傍の各構成を部分的に拡大して示す部分拡大正面図である。
【図３】図３は、第１および第２エアバッグの各々が膨張する様子を概略的に示す図２相当図である。
【図４】図４は、第１エアバッグの構成を側面から見て示す側面図である。
【図５】図５は、第１指圧部をカバー部の収容部に収容する様子を概略的に示す概略図である。
【図６】図６は、第２指圧部を肘掛け部の凹部に取り付ける様子を概略的に示す概略図である。
【図７】図７は、その他の実施形態において、第２指圧部を肘掛け部の内側部に設けた収容部に収容する様子を概略的に示す概略図である。
【発明を実施するための形態】
【００２４】
以下、本発明の実施形態を図面に基づいて詳細に説明する。以下の実施形態の説明は、本質的に例示に過ぎず、本発明、その適用物或いはその用途を制限することを意図するものではない。
【００２５】
図１は、本発明の実施形態に係る椅子式マッサージ機１の全体を示している。この椅子式マッサージ機１は、被施療者が後述する座部５に着座した状態（以下「着座状態」という）において、少なくとも被施療者の前腕領域Ａと臀部から大腿部に亘る領域Ｂとを施療するためのものである（図２および図３参照）。ここで、前腕領域Ａとは、被施療者の手および前腕部の少なくともいずれか一方を含む領域を指すものとする。
【００２６】
なお、以下の説明において、右側および左側とは、図１に示した椅子式マッサージ機１を正面から見たときの左右方向における位置関係を表すものとする。
【００２７】
（ベース部）
図１に示すように、椅子式マッサージ機１は、ベース部２を備えている。ベース部２は、椅子式マッサージ機１の骨格をなすものである。具体的に、ベース部２は、例えば、複数の金属部材（図示せず）を略直方体に組み立てた枠体として構成されている。
【００２８】
ベース部２の内部には、空気給排気部３が設けられている。空気給排気部３は、後述する第１および第２エアバッグ４１，４２に対して空気を供給するためのものである。
【００２９】
空気給排気部３には、エアホース４，４，…が接続されている。各エアホース４の一端部は、空気給排気部３に接続されている。各エアホース４の他端部は、後述する第１および第２エアバッグ４１，４２の各々に接続されている。図２および図３に示すように、各エアホース４は、他端部がベース部２および後述する各肘掛け部１０の内部を通って後述する台座部２０から座部５の上方に露出するように配管されている。
【００３０】
（座部）
図１〜図３に示すように、椅子式マッサージ機１は、座部５を備えている。座部５は、着座状態における被施療者の臀部および大腿部を支持するためのものである。座部５は、例えば複数の金属部材（図示せず）を略矩形状に組み立てた枠体として構成されていて、ベース部２の上部に固定されている。座部５の枠体上側には、ウレタンなどの緩衝部材（図示せず）が設けられている。
【００３１】
（背もたれ部）
図１〜図３に示すように、椅子式マッサージ機１は、背もたれ部６を備えている。背もたれ部６は、着座状態における被施療者の上半身を後方から支持するためのものである。背もたれ部６は、ベース部２および座部５の後方に配置されている。
【００３２】
背もたれ部６は、ベース部２および座部５に対し後方にリクライニング可能に構成されている。背もたれ部６の内部には、左右一対のガイドレール６ａ，６ａおよびガイドレール６ａ，６ａに沿って上下方向に移動可能な機械式の施療機構６ｂが設けられている。
【００３３】
（肘掛け部）
図１〜図３に示すように、椅子式マッサージ機１は、左右一対の肘掛け部１０，１０を備えている。各肘掛け部１０は、例えば硬質の樹脂部材により構成されている。肘掛け部１０、１０は、座部５の左右両側に配置されていて、ベース部２の左右両側に固定されている。各肘掛け部１０は、略壁状に形成されている。各肘掛け部１０は、正面視においてベース部２の下端部よりも下方の位置から座部５よりも上方の位置に亘って上下方向に延びるように形成されている。
【００３４】
各肘掛け部１０の上部には、着座状態における被施療者の手および前腕部を載置可能な載置部１１が形成されている。載置部１１は、側面視において前後方向略中央が上方に向かって膨らむように略湾曲状に形成されている。
【００３５】
図６にも示すように、各肘掛け部１０は、内側部１２を有している。内側部１２は、正面視において座部５上面に対して直交する方向（鉛直方向）に沿って延びている。内側部１２は、着座状態における被施療者の臀部および大腿部と対向するように略面状に形成されている（図６参照）。
【００３６】
図２および図３に示すように、各肘掛け部１０には、凹部１３が設けられている。凹部１３は、内側部１２から凹陥状に形成されている。図６に示すように、凹部１３は、側面視において略矩形状に形成されている。なお、図６では、説明の便宜上、後述する施療部４０の図示を省略している。
【００３７】
凹部１３の底部には、フック状に起毛されたフック面を有する一方の面ファスナ１４が固着されている。この一方の面ファスナ１４は、後述する第２指圧体７０を各肘掛け部１０の凹部１３に取り付けるためのものである。
【００３８】
（台座部）
図２および図３に示すように、椅子式マッサージ機１は、台座部２０を備えている。台座部２０は、後述する挿入部３０に挿入された被施療者の手および前腕部の少なくともいずれか一方を座部５よりも上方の位置に載置させるように構成されている。
【００３９】
図６にも示すように、台座部２０は、座部５および各肘掛け部１０が互いに交差する隅角部に配置されている。台座部２０は、座部５の上面に配置されている。台座部２０は、図示しないが座部５および各肘掛け部１０の内側部１２の少なくともいずれか一方に固定されている。
【００４０】
台座部２０は、座部５の前後方向に沿って延びるように形成されている。台座部２０は、その上面２１が座部５よりも上方に位置しかつ挿入部３０の底部の位置に対応するように構成されている（図２および図３参照）。台座部２０の上面２１は、被施療者の手および前腕部の形状に沿うように下方に向かって湾曲状に凹陥形成されている。
【００４１】
台座部２０の側面には、左右方向に向かって貫通形成されたホース挿入孔２２，２２が形成されている。また、台座部２０の側面には、後述する第１および第２エアバッグ４１，４２の各々の耳部４５，４５をビスなどの締結部材（図示せず）により台座部２０に取り付けるための締結穴２３，２３が設けられている。ホース挿入孔２２，２２および締結穴２３，２３は、前後方向に沿って互いに間隔をあけて配置されている。
【００４２】
（挿入部）
図２および図３に示すように、各肘掛け部１０の内側部１２と後述する施療部４０との間には、被施療者の前腕領域Ａを挿入可能な挿入部３０が設けられている。具体的に、挿入部３０は、各肘掛け部１０の内側部１２と後述する第１エアバッグ４１の第１施療面４７との間に形成されている。挿入部３０は、被施療者の前腕領域Ａを挿入部３０の底部（すなわち、台座部２０の上面２１）に載置可能となるように構成されている。
【００４３】
（施療部）
図１〜図３に示すように、椅子式マッサージ機１は、施療部４０，４０を備えている。施療部４０，４０は、被施療者の前腕領域Ａおよび臀部から大腿部に亘る領域Ｂの双方を施療するためのものである。各施療部４０は、座部５の左右方向において各肘掛け部１０の内側部１２と対向する位置に配置されている。
【００４４】
なお、図２および図３では、椅子式マッサージ機１を正面から見たときの左側に位置する施療部４０のみを示している。椅子式マッサージ機１を正面から見たときの右側に位置する施療部４０は、図２および図３で示した施療部４０と同様の構成である。このため、上記右側に位置する施療部４０の詳細な説明については省略する。
【００４５】
施療部４０は、少なくとも１つのエアバッグを有している。具体的に、施療部４０は、第１エアバッグ４１および第２エアバッグ４２を有している。第１および第２エアバッグ４１，４２は、例えば軟質樹脂材やナイロンのシート材を用いてブロー成形等により製造される。
【００４６】
図４に示すように、第１エアバッグ４１は、中空状のエアバッグ本体４３を含む。エアバッグ本体４３の下部には、ホース接続部４４および耳部４５，４５が一体形成されている。ホース接続部４４は、例えば略円筒状に形成されていて、エアバッグ本体４３の内部と連通している。各耳部４５は、例えば可撓性を有するシート状に形成されている。各耳部４５の下部には、略円形状の貫通孔４６が形成されている。なお、この実施形態において、第２エアバッグ４２の主な構成は第１エアバッグ４１と同様であるため、第２エアバッグ４２の詳細な説明を省略する。
【００４７】
図２および図３に示すように、第１および第２エアバッグ４１，４２は、座部５の上方に配置されている。図示しないが、第１および第２エアバッグ４１，４２は、ビスなどの締結部材（図示せず）を耳部４５，４５の貫通孔４６，４６および台座部２０の締結穴２３，２３に挿通させた状態で台座部２０に取り付けられている。
【００４８】
第１エアバッグ４１は、左右方向において各肘掛け部１０の内側部１２と近接する位置に配置されている。第２エアバッグ４２は、左右方向において各肘掛け部１０の内側部１２と反対側に位置しかつ第１エアバッグ４１と隣り合う位置に配置されている。すなわち、第１および第２エアバッグ４１，４２は、各々のエアバッグ本体４３が左右方向において互いに重ね合わされるように配設されている。
【００４９】
第１および第２エアバッグ４１，４２は、各々のホース接続部４４が座部５の上面と対向するように配置されている。各ホース接続部４４は、台座部２０のホース挿入孔２２から露出した各エアホース４の他端部に接続されている。
【００５０】
第１および第２エアバッグ４１，４２の各々は、エアバッグ本体４３が各エアホース４を介して空気給排気部３から供給された空気により膨張するように構成されている。さらに、図３に示すように、第１および第２エアバッグ４１，４２は、各々のエアバッグ本体４３，４３が膨張するにつれて互いのエアバッグ本体４３を左右方向に押し合うように構成されている。そして、第１エアバッグ４１は、エアバッグ本体４３の略中央が肘掛け部１０の内側部１２に向かって膨張するようになる一方、第２エアバッグ４２は、エアバッグ本体４３の略中央が被施療者の臀部および大腿部に向かって膨張するようになる。
【００５１】
第１エアバッグ４１のエアバッグ本体４３は、肘掛け部１０の内側部１２と対向する第１施療面４７を含む。第１施療面４７は、第１エアバッグ４１の膨張により挿入部３０に挿入した被施療者の前腕領域Ａを肘掛け部１０の内側部１２に向かって押圧するように構成されている。また、第１施療面４７は、その下端部が座部５の上面よりも上方に位置するように配置されている。
【００５２】
第２エアバッグ４２のエアバッグ本体４３は、着座状態における被施療者の臀部および大腿部と対向する第２施療面４８を含む。第２施療面４８は、第２エアバッグ４２の膨張により着座状態における被施療者の臀部および大腿部を押圧するように構成されている。また、第２施療面４８は、その下端部が座部５の上面よりも上方に位置するように配置されている。
【００５３】
（カバー部）
図１〜図３に示すように、台座部２０には、カバー部５０が取り付けられている。カバー部５０は、伸縮性を有する生地材からなる。図５にも示すように、カバー部５０は、第１および第２エアバッグ４１，４２の全体を覆うように袋状に形成されている。
【００５４】
カバー部５０には、後述する第１指圧体６０を収容可能な収容部５１が設けられている。収容部５１は、上方に開口したポケット状に形成されている。収容部５１は、カバー部５０において肘掛け部１０の内側部１２と対向する側の面に配置されている。
【００５５】
（第１指圧体）
図２および図３に示すように、第１エアバッグ４１には、第１指圧体６０が設けられている。第１指圧体６０は、例えば熱可塑性エラストマーのような弾性を有する材料からなる。
【００５６】
図５にも示すように、第１指圧体６０は、平板状の第１板部６１と、第１板部６１の一方の面から突出した第１突起部６２，６２，…と、を有している。第１板部６１および第１突起部６２，６２，…は、互いに一体形成されている。
【００５７】
第１突起部６２，６２，…は、互いに間隔をあけて配置されている。具体的に、第１突起部６２，６２，…は、挿入部３０に挿入された被施療者の前腕領域Ａに含まれる複数の経穴（いわゆるツボ）の位置に対応するように配置されている。より具体的に、第１突起部６２，６２，…は、被施療者の手のひらに含まれる複数の経穴の位置に対応するように配置されているのが好ましい。
【００５８】
ここで、手のひらに存在する複数の経穴としては、例えば、だんちゅう、巨闕（こけつ）、じょうかん、中栞（ちゅうかん）、げかん、老宮（ろうきゅう）、神門（しんもん）、手心（しゅしん）、腎穴（じんけつ）、魚際（ぎょさい）、太淵（たいえん）などが挙げられる。
【００５９】
第１指圧体６０は、第１エアバッグ４１に対して着脱可能に取り付けられている。具体的に、第１指圧体６０は、第１突起部６２，６２，…が肘掛け部１０の内側部１２と対向するようにカバー部５０の収容部５１に収容されている。第１指圧体６０は、第１および第２エアバッグ４１，４２の膨張により第１施療面４７が各肘掛け部１０の内側部１２に向かって移動すると、第１施療面４７とともに各肘掛け部１０の内側部１２に向かって移動する。すなわち、第１指圧体６０は、第１および第２エアバッグ４１，４２の膨張により第１突起部６２，６２，…が挿入部３０に挿入された被施療者の前腕領域Ａ（特に手のひら）を指圧するように構成されている。
【００６０】
（第２指圧体）
図２および図３に示すように、各肘掛け部１０には、第２指圧体７０が設けられている。第２指圧体７０は、第１指圧体６０と同様に、熱可塑性エラストマーのような弾性を有する材料からなる。
【００６１】
図６にも示すように、第２指圧体７０は、平板状の第２板部７１と、第２板部７１の一方の面から突出した第２突起部７２，７２，…と、を有している。第２板部７１および第２突起部７２，７２，…は、互いに一体形成されている。
【００６２】
第２突起部７２，７２，…は、互いに間隔をあけて配置されている。具体的に、第２突起部７２，７２，…は、挿入部３０に挿入された被施療者の前腕領域Ａに含まれる複数の経穴の位置に対応するように配置されている。より具体的に、第２突起部７２，７２，…は、被施療者の手の甲に含まれる複数の経穴の位置に対応するように配置されているのが好ましい。
【００６３】
ここで、手の甲に存在する複数の経穴としては、例えば、あもん、合谷（ごうこく）、関衝（かんしょう）、中衝（ちゅうしょう）、小衝（しょうしょう）、商陽（しょうよう）、下痢点（げりてん）、腰腿点（ようたいてん）などが挙げられる。
【００６４】
第２板部７１の他方の面には、ループ状に密集して起毛されたループ面を有する他方の面ファスナ７３が固着されている。第２板部７１は、他方の面ファスナ７３におけるループ面が肘掛け部１０の凹部１３に固着された一方の面ファスナ１４におけるフック面に係合されるようになっている。そして、第２指圧体７０は、一方および他方の面ファスナ１４，７３により肘掛け部１０の内側部１２に対して着脱可能となっている。
【００６５】
第２突起部７２，７２，…は、第２指圧体７０が肘掛け部１０の内側部１２に取り付けられた状態において肘掛け部１０の内側部１２から第１エアバッグ４１の第１施療面４７に向かって突出した状態となっている。これにより、第２指圧体７０は、第１および第２エアバッグ４１，４２の膨張により第１施療面４７が各肘掛け部１０の内側部１２に向かって移動したときに、第２突起部７２，７２，…が挿入部３０に挿入された被施療者の前腕領域Ａ（特に手の甲）を指圧するように構成されている。
【００６６】
［実施形態の作用効果］
以上のように、椅子式マッサージ機１では、各肘掛け部１０の内側部１２と施療部４０との間に設けられた挿入部３０により、被施療者の手および前腕部を肘掛け部１０の近傍に位置させることが可能となる。その結果、被施療者は、自然な着座姿勢を保ちながら施療部４０による前腕領域Ａの施療を受けることが可能となる。また、施療部４０は、第１施療面４７が第１および第２エアバッグ４１，４２の膨張により挿入部３０に挿入された被施療者の前腕領域Ａを各肘掛け部１０の内側部１２に向かって押圧するように構成されている。かかる構成により、被施療者の前腕領域Ａは、各肘掛け部１０の内側部１２と第１施療面４７との間に挟み込まれた状態で安定的に保持される。その結果、被施療者の前腕領域Ａに対する第１施療面４７の押圧力が高まり、前腕領域Ａを適切に施療することが可能となる。さらに、第１施療面４７および第２施療面４８を含む施療部４０により、被施療者の前腕領域Ａおよび臀部から大腿部に亘る領域Ｂの双方が施療される。したがって、本発明の実施形態に係る椅子式マッサージ機１では、被施療者が自然な着座姿勢をとることができ、かつ安定的に保持された前腕領域Ａおよび臀部から大腿部に亘る領域Ｂを施療することができる。
【００６７】
また、第１指圧体６０は、第１および第２エアバッグ４１，４２の膨張により第１施療面４７が各肘掛け部１０の内側部１２に向かって移動したときに、第１突起部６２が挿入部３０に挿入された被施療者の前腕領域Ａを指圧するように構成されている。このため、椅子式マッサージ機１では、第１施療面４７による押圧施療および第１指圧体６０による指圧施療を、被施療者の前腕領域Ａに付与することができる。さらに、挿入部３０では被施療者の前腕領域Ａが安定的に保持されることから、第１指圧体６０の第１突起部６２，６２，…を、被施療者の前腕領域Ａ（特に手のひら）に含まれる多数の経穴に対して位置ズレしないように的確に接触させることが可能となる。これにより、第１指圧体６０による指圧施療の位置精度を高めることができる。
【００６８】
また、第２指圧体７０は、第１および第２エアバッグ４１，４２の膨張により第１施療面４７が各肘掛け部１０の内側部１２に向かって移動したときに、第２突起部７２，７２，…が挿入部３０に挿入された被施療者の前腕領域Ａを指圧するように構成されている。このため、椅子式マッサージ機１では、第１施療面４７による押圧施療および第２指圧体７０による指圧施療を、被施療者の前腕領域Ａに付与することができる。さらに、挿入部３０では被施療者の前腕領域Ａが安定的に保持されることから、第２指圧体７０の第２突起部７２，７２，…を、被施療者の前腕領域Ａ（特に手の甲）に含まれる多数の経穴に対して位置ズレしないように的確に接触させることが可能となる。これにより、第２指圧体７０による指圧施療の位置精度を高めることができる。
【００６９】
また、第１指圧体６０が第１エアバッグ４１に対して着脱可能であるため、被施療者の前腕領域Ａ（特に手のひら）において第１指圧体６０による指圧施療を受けるか否かの選択を被施療者に委ねることができる。
【００７０】
また、第２指圧体７０が肘掛け部１０の内側部１２に対して着脱可能であるため、被施療者の前腕領域Ａ（特に手の甲）において第２指圧体７０による指圧施療を受けるか否かの選択を被施療者に委ねることができる。
【００７１】
また、台座部２０の上面２１が挿入部３０の底部の位置に対応しているため、挿入部３０に挿入された被施療者の前腕領域Ａを座部５よりも上方に位置させることが可能となる。これにより、前腕領域Ａの施療を受けるときの被施療者の着座姿勢をより一層安定させることができる。
【００７２】
［その他の実施形態］
上記実施形態では、第１および第２エアバッグ４１，４２が軟質樹脂材やナイロンのシート材を用いてブロー成形等により製造された形態を示したが、この形態に限られない。例えば、第１および第２エアバッグ４１，４２は、軟質樹脂材やナイロンのシート材を用いて圧着成形等により製造されたものであってもよい。
【００７３】
また、上記実施形態では、施療部４０が第１および第２エアバッグ４１，４２を有する形態を示したが、この形態に限られない。すなわち、施療部４０は、第１エアバッグ４１のみを有する形態であってもよい。要は、施療部４０は、少なくとも１つのエアバッグを有していればよい。なお、施療部４０が第１エアバッグ４１のみを有する形態では、第１エアバッグ４１において、第１施療面４７の反対側に位置する面が第２施療面４８に相当することになる。
【００７４】
また、上記実施形態では、第１施療面４７の下端部が座部５の上面よりも上方に位置する形態を示したが、この形態に限られない。すなわち、第１施療面４７の下端部を、座部５の上面と略同じ位置になるように配置してもよい。これと同様に、第２施療面４８の下端部を、座部５の上面と略同じ位置になるように配置してもよい。
【００７５】
また、上記実施形態では、第１および第２エアバッグ４１，４２が互いに同じ大きさおよび形状からなる形態を示したが、この形態に限られない。すなわち、第１および第２エアバッグ４１，４２は、互いに異なる大きさまたは形状に構成されていてもよい。例えば、第２エアバッグ４２のエアバッグ本体４３を、上下方向の長さが第１エアバッグ４１のエアバッグ本体４３よりも小さくなるように構成してもよい。
【００７６】
また、上記実施形態では、台座部２０を設けた形態を示したが、この形態に限られない。すなわち、台座部２０を設けずに、カバー部５０の一部が挿入部３０の底部として機能するように構成してもよい。かかる場合では、第１および第２エアバッグ４１，４２の各々の耳部４５，４５を、例えば座部５および各肘掛け部１０の内側部１２のいずれか一方に取り付けるようにすればよい。
【００７７】
また、上記実施形態では、第１指圧体６０をカバー部５０の収容部５１に収納可能な形態を示したが、この形態に限られない。例えば、上記形態に代えて、図示しない他の手段により第１指圧体６０が第１エアバッグ４１に対して着脱可能に構成してもよい。または、第１指圧体６０が第１エアバッグ４１と一体形成されていてもよい。さらには、第１指圧体６０を設けない形態としてもよい。
【００７８】
また、上記実施形態では、第２指圧体７０が一方の面ファスナ１４および他方の面ファスナ７３により各肘掛け部１０の内側部１２に対して着脱可能となる形態を示したが、この形態に限られない。例えば、上記形態に代えて、図示しない他の手段により第２指圧体７０が肘掛け部１０の内側部１２に対して着脱可能となるように構成してもよい。または、第２指圧体７０が肘掛け部１０の内側部１２と一体形成されていてもよい。さらには、第２指圧体７０を設けない形態としてもよい。
【００７９】
また、上記実施形態では、第２指圧体７０を各肘掛け部１０の内側部１２に設けた凹部１３に対して着脱可能となるように取り付けた形態を示したが、この形態に限られない。例えば、凹部１３を設けずに、第２指圧体７０を肘掛け部１０の内側部１２に対して取付可能な形態としてもよい。
【００８０】
具体的には、図７に示すように、第２指圧体７０を収容可能な収容部５２を、肘掛け部１０の内側部１２に設けてもよい。収容部５２は、上方に開口したポケット状に形成されている。かかる形態であっても、上記実施形態と同様に、第２指圧体７０が肘掛け部１０の内側部１２に対して着脱可能となる。このため、被施療者の前腕領域Ａ（特に手の甲）において第２指圧体７０による指圧施療を受けるか否かの選択を被施療者に委ねることができる。なお、図７に示した形態では、上記実施形態における一方および他方の面ファスナ１４，７３を設けなくてもよい。
【００８１】
また、第２指圧体７０に代えて、着座状態における被施療者の前腕領域Ａに当接する低反発性を有する図示しない緩衝体（ウレタンなど）を各肘掛け部１０の内側部１２に設けてもよい。かかる形態では、第１施療面４７が第１および第２エアバッグ４１，４２の膨張により挿入部３０に挿入された被施療者の前腕領域Ａを各肘掛け部１０の内側部１２に向かって押圧すると、前腕領域Ａが第１施療面４７と緩衝体との間において柔らかく包み込まれるようになる。その結果、第１施療面４７による押圧施療の強さが緩和される。このように、例えば強めの押圧施療を望まない被施療者に対して、適切な押圧施療を前腕領域Ａに付与することができる。
【産業上の利用可能性】
【００８２】
本発明は、椅子式マッサージ機として産業上の利用が可能である。
【符号の説明】
【００８３】
１：椅子式マッサージ機
２：ベース部
３：空気給排気部
４：エアホース
５：座部
６：背もたれ部
１０：肘掛け部
１２：内側部
２０：台座部
３０：挿入部
４０：施療部
４１：第１エアバッグ
４２：第２エアバッグ
４３：エアバッグ本体
４７：第１施療面
４８：第２施療面
５０：カバー部
５１，５２：収容部
６０：第１指圧体
６１：第１板部
６２：第１突起部
７０：第２指圧体
７１：第２板部
７２：第２突出部
Ａ：前腕領域
【図１】
2020025606.tif 000003
【図２】
2020025606.tif 000004
【図３】
2020025606.tif 000005
【図４】
2020025606.tif 000006
【図５】
2020025606.tif 000007
【図６】
2020025606.tif 000008
【図７】
2020025606.tif 000009